(57)【要約】【課題】接着剤が下水道本管内部に滴下するのを抑制することができる下水道本管取付具を提供すること。【解決手段】下水道本管取付具は、下水道本管３０の外周面に形成された孔３１を塞ぐために取り付けられる閉塞キャップ１０、又は孔３１に取付管を接続するために取り付けられる支管からなる。下水道本管取付具は、下水道本管３０の外周面に沿って湾曲し、孔３１の周りに配置されるサドルと、孔３１に向けて突出し、孔３１にはめ込まれる環状突出部と、サドルを下水道本管３０の外周面に接着するためにサドルのうち環状突出部を含まない範囲に塗布される接着剤が、環状突出部の突出端側へ浸入するのを抑制する抑制部と、を備えている。【選択図】図２
2019044454.tif 000002
【特許請求の範囲】
【請求項１】
下水道本管の外周面に形成された孔を塞ぐために取り付けられる閉塞具、又は前記孔に取付管を接続するために取り付けられる支管からなる、下水道本管取付具であって、
前記下水道本管の外周面に沿って湾曲し、前記孔の周りに配置されるサドルと、
前記孔に向けて突出し、前記孔にはめ込まれる環状突出部と、
前記サドルを前記下水道本管の外周面に接着するために前記サドルのうち前記環状突出部を含まない範囲に塗布される接着剤が、前記環状突出部の突出端側へ浸入するのを抑制する抑制部と、
を備えている、下水道本管取付具。
【請求項２】
前記抑制部は、前記環状突出部の外周を囲んで配置された弾性リングである、請求項１に記載の下水道本管取付具。
【請求項３】
前記抑制部は、前記サドルのうち前記環状突出部よりも外周側、かつ前記下水道本管の外周面と向き合う側に形成された空間部である、請求項１又は２に記載の下水道本管取付具。
【請求項４】
前記空間部は、前記環状突出部を囲む環状に形成されている、請求項３に記載の下水道本管取付具。
【請求項５】
前記空間部は、前記サドルの一部を前記下水道本管の外周面から離れる側へ、滑らかな曲面形状となるように突出させて形成されている、請求項３又は４に記載の下水道本管取付具。
【発明の詳細な説明】
【技術分野】
【０００１】
本発明は、下水道本管取付具に関し、詳しくは、下水道本管の外周面に取り付けられる閉塞具又は支管からなる下水道本管取付具に関する。
【背景技術】
【０００２】
従来、下水道本管に形成された孔に支管を取り付けて、各戸の排水を下水道本管に集約するための管路を形成したり、あるいは、家屋等の取り壊しに伴い不要になった管路を下水道本管から撤去した際に、下水道本管に形成された孔を塞ぐために閉塞キャップを下水道本管に取り付けたりすることが行われている（例えば、特許文献１参照）。
【先行技術文献】
【特許文献】
【０００３】
【特許文献１】特許第５０５２２７６号公報
【発明の概要】
【発明が解決しようとする課題】
【０００４】
支管や閉塞キャップといった下水道本管取付具を下水道本管に取り付ける作業は、作業者各自によってやり方や技量が異なり、作業ムラが発生しやすい。例えば、下水道本管取付具を配置する位置がずれたり、サドルに塗布する接着剤の塗布量が多すぎたりすることがある。また、こうした作業ムラに起因して、下水道本管取付具を下水道本管に取り付けた時に、サドルに塗布した接着剤の一部が孔側へ飛び出し、接着剤が孔から下水道本管の内部に滴下するおそれがある。孔から滴下した接着剤が硬化して下水道本管内部に残ったままとなった場合、円滑な排水が妨げられることが懸念される。
【０００５】
本発明は、上記事情に鑑みてなされたものであり、接着剤が下水道本管内部に滴下するのを抑制することができる下水道本管取付具を提供することを一つの目的とする。
【課題を解決するための手段】
【０００６】
上記課題を解決するべく、第１の構成の下水道本管取付具は、下水道本管の外周面に形成された孔を塞ぐために取り付けられる閉塞具、又は前記孔に取付管を接続するために取り付けられる支管からなる、下水道本管取付具であって、前記下水道本管の外周面に沿って湾曲し、前記孔の周りに配置されるサドルと、前記孔に向けて突出し、前記孔にはめ込まれる環状突出部と、前記サドルを前記下水道本管の外周面に接着するために前記サドルのうち前記環状突出部を含まない範囲に塗布される接着剤が、前記環状突出部の突出端側へ浸入するのを抑制する抑制部と、を備えている。
【０００７】
上記構成では、下水道本管の孔にはめ込まれる環状突出部を設けるとともに、サドルに塗布される接着剤が環状突出部の突出端側へ浸入するのを抑制する抑制部を設けた。下水道本管取付具を下水道本管に取り付ける作業においては作業ムラの発生が想定されるが、上記構成によれば、下水道本管取付具を下水道本管に取り付ける際には、環状突出部により閉塞キャップの位置決め（ひいては、抑制部の位置決め）を容易にかつ正確に行うことができるとともに、抑制部により、サドルに塗布した接着剤の孔側への移動を抑制することができる。これにより、接着剤が下水道本管内部に滴下することを抑制することができる。
【０００８】
第２の構成の下水道本管取付具は、第１の構成において、前記抑制部は、前記環状突出部の外周を囲んで配置された弾性リングである。
【０００９】
第２の構成によれば、弾性リングにより、接着剤が孔を介して下水道本管の内部に滴下するのを抑制することができる。また、下水道本管取付具として閉塞具を下水道本管に取り付ける場合、孔は、過去に取付管を接続するために下水道本管に形成されたものであり、数十年前のものである場合や、下水道本管がヒューム管や陶管からなる場合も多く、孔の径にばらつきが生じていることが多い。このような場合でも、弾性リングによって、環状突出部の外周面と孔の内周面との隙間を埋めることができ、接着剤の滴下を抑制する効果を一層高くすることができる。また、弾性リングによって、下水道本管取付具の位置決め効果も期待でき、下水道本管取付具を下水道本管に対して適切な位置に取り付けることができる。
【００１０】
第３の構成は、第１及び第２の構成において、前記抑制部は、前記サドルのうち前記環状突出部よりも外周側、かつ前記下水道本管の外周面と向き合う側に形成された空間部である。
【００１１】
第３の構成によれば、空間部が接着剤溜まりとして機能することにより、接着剤が環状突出部まで移動しないようにしたり、環状突出部まで移動する接着剤の量を少なくしたりすることができる。また、空間部を目印にすることにより、作業者が接着剤を塗布する位置を視覚的に把握でき、適切な塗布位置への接着剤の塗布を作業者に自ずと促すことができる。
【００１２】
第４の構成の下水道本管取付具は、第３の構成において、前記空間部は、前記環状突出部を囲む環状に形成されている。第４の構成のように、空間部を、環状突出部を囲む環状に形成することにより、あらゆる方向からの接着剤の滴下を抑制することができる。
【００１３】
第５の構成の下水道本管取付具は、第３及び第４の構成において、前記空間部は、前記サドルの一部を前記下水道本管の外周面から離れる側へ、滑らかな曲面形状となるように突出させて形成されている。
【００１４】
空間部は、サドルの一部が突出するように形成されているため、製作が容易である。また、空間部を形成する突出部分が滑らかな曲面形状になっていることから、閉塞具によって孔を閉塞した後、又は支管を孔に取り付けた後に下水道本管を埋め戻した場合に、下水道本管を覆う土砂からの圧力が突出部分に集中しにくくすることができる。
【図面の簡単な説明】
【００１５】
【図１】閉塞キャップが下水道本管に取り付けられた状態を示す斜視図。
【図２】閉塞キャップを下水道本管に取り付ける前の閉塞キャップ及び下水道本管を示す斜視図。
【図３】閉塞キャップが取り付けられた状態の下水道本管を径方向に切断した場合の断面図。
【図４】閉塞キャップが取り付けられた状態の下水道本管を軸線方向に切断した場合の断面図。
【図５】既存の取付管を撤去して閉塞キャップを取り付ける際の手順を示す図。
【図６】閉塞キャップが取り付けられた状態の下水道本管を径方向に切断した場合の取付け部分の拡大断面図。
【図７】下水道本管取付具の別例である支管の断面図。
【発明を実施するための形態】
【００１６】
以下、本実施形態の下水道本管取付具について図面を参照しつつ説明する。本実施形態では、下水道本管に接続された取付管を撤去した後に形成される孔を塞ぐために下水道本管に取り付けられる閉塞キャップに下水道本管取付具を具体化している。
【００１７】
閉塞キャップが取り付けられる下水道本管は、例えばヒューム管や陶管からなる断面円形状の筒状体（詳しくは円筒体）であり、地中に埋設されている。取付管は、各家庭から排出される汚水等を下水道本管に導くための配管であり、例えば塩化ビニル等からなる樹脂製の断面円形状の筒状体である。下水道本管には取付管が複数接続され、各家庭から排出される汚水等は、取付管を介して下水道本管に集約される。
【００１８】
図１〜図４に示すように、閉塞キャップ１０は、塩化ビニル等からなる樹脂製の板状部材である。閉塞キャップ１０は、サドル１１と、サドル１１に設けられた環状突出部１２と、を備えている。
【００１９】
サドル１１は、薄板状に形成され、その板面が湾曲した形状を有している。図１及び図２に示すように、サドル１１は、四角形状（本実施形態では矩形状）をなし、閉塞キャップ１０を取り付ける対象の下水道本管３０が有する孔３１よりも大きく形成されている。なお、サドル１１の形状は四角形状に限らず、例えば円形状としてもよい。サドル１１の板面のうち湾曲内側は、下水道本管３０側に配置される裏面１８であり、湾曲外側は、下水道本管３０側とは反対側に配置される表面１９である。裏面１８及び表面１９は、下水道本管３０の外周面に対応する形状を有し、具体的には弧状に形成されている。サドル１１は、裏面１８及び表面１９を貫通する開口部１１ａを有している（図３及び図４参照）。開口部１１ａは、取付対象の下水道本管３０が有する孔３１に対応する形状をなし、本実施形態では円形状となっている。開口部１１ａが孔３１に重なるように閉塞キャップ１０が下水道本管３０の外周面に配置された状態では、サドル１１の少なくとも外周部が孔３１の周りを囲むように配置される。サドル１１の厚みは２ｍｍ〜３ｍｍ程度である。
【００２０】
環状突出部１２は、サドル１１の内周側に配置されており、サドル１１と一体成形されている。環状突出部１２は、サドル１１の内周側からサドル１１の裏側へ延びる環状部１３と、環状部１３の先端部（すなわち突出端部）によって囲まれた空間を塞ぐ閉塞部１４と、を有している。環状突出部１２は、その全体がサドル１１の表面１９から裏側へ凹むように形成されている。
【００２１】
環状部１３は、円環状であり、サドル１１の内周部からサドル１１の裏面１８側へ延びている。この実施形態では、環状部１３は、その基端側がサドル１１の内周縁から延びており、先端側がサドル１１の裏面１８側に位置している。環状部１３の外径Ｄ１は、閉塞キャップ１０の取付対象となる下水道本管３０が有する孔３１の内径Ｄ２よりも小さくなっている（図３，４参照）。具体的には、環状部１３は、その外径Ｄ１が孔３１の内径Ｄ２よりも数ｍｍ程度（例えば２〜５ｍｍ程度）小さくなっている。環状部１３のサドル１１からの突出長さＬは、下水道本管３０の厚みＴよりも短くなっている。
【００２２】
閉塞部１４は、円形板状をなし、その外周端部が環状部１３の先端部と繋がっている。閉塞部１４は、その板面が湾曲状となるように形成されている。具体的には、図３に示すように、閉塞部１４は、サドル１１の湾曲形状と同程度の曲率で表面１９側に凸となるように湾曲する湾曲状に形成されている。
【００２３】
環状部１３には、その外周面に弾性リング１５（Ｏ−リング）が取り付けられている。弾性リング１５は、例えばゴム等の弾性材料により形成されており、環状部１３の外周面を取り囲むように配置されている。より詳細には、サドル１１と環状部１３との隅部に弾性リング１５が配置されている。弾性リング１５は、その弾性力によって所定の取付位置（ここでは、サドル１１と環状部１３との隅部）から移動しないように位置決めされている。弾性リング１５には滑剤が塗布されており、閉塞キャップ１０を孔３１に取り付ける際に孔３１の内周面との摩擦が低減されるようになっている。これにより、閉塞キャップ１０の取り付け時の施工性が高められている。なお、環状部１３の外周面に設けられた図示しない溝部に弾性リング１５がはめ込まれることにより、環状部１３の外周面に弾性リング１５が位置決めされるようにしてもよい。あるいは、環状部１３の外周面に対して接着剤により固定されることにより位置決めされていてもよい。
【００２４】
サドル１１には、環状突出部１２の外周側に、表面１９から外側へ突出する突出部１６が設けられている。突出部１６は、外側へ凸となる湾曲状をなし、環状突出部１２の外周側を囲む環状（具体的には円環状）に形成されている。閉塞キャップ１０においては、突出部１６がサドル１１に形成されていることにより、裏面１８のうち突出部１６の部分に、裏面１８から表面１９に向かう方向に凹んだ凹み部が形成されている。このため、閉塞キャップ１０が下水道本管３０に取付けられた状態では、サドル１１が下水道本管３０の外周面と向き合う側に空間部１７が形成される（図３及び図４参照）。
【００２５】
突出部１６は、サドル１１の内周縁と外周縁との間の中間位置において、サドル１１の一部を裏面１８から表面１９に向かう方向へ突出させて形成されている。一方、サドル１１のうち突出部１６よりも内周側及び外周側は、閉塞キャップ１０が下水道本管３０に取付けられた状態において、サドル１１の内周面と下水道本管３０の外周面とが接触可能になっている（図３及び図４参照）。突出部１６は、下水道本管３０の外周面から離れる側へ滑らかな曲面形状となるように形成されており、ここでは断面半円形状に形成されている。また、突出部１６は、空間部１７の高さ（すなわち、下水道本管３０の外周面から突出部１６の内周面までの最大長さ）が、サドル１１の厚みＥと同じか、又はその厚みＥよりも若干大きく若しくは小さくなる程度に小さく形成されている。
【００２６】
突出部１６は、サドル１１の外周縁よりも環状突出部１２の内周縁に近い位置に設けられている。より詳細には、突出部１６は、環状突出部１２に近接して設けられている。サドル１１において突出部１６よりも外周側は、サドル１１を下水道本管３０の外周面に接着するための接着剤を塗布する塗布領域Ａとなっている（図４参照）。つまり、突出部１６は、塗布領域Ａよりも内周側に位置している。このように、突出部１６が環状突出部１２に近接した位置に配置されていることにより、サドル１１の裏面１８に、接着剤の塗布領域Ａが広く確保されている。
【００２７】
次に、閉塞キャップ１０の取付け方法及び作用について、図５及び図６を参照しながら説明する。閉塞キャップ１０は、例えば家屋の取り壊しに伴い不要になった取付管４３を下水道本管３０から撤去した際に下水道本管３０に形成された孔３１を塞ぐために孔３１に取り付けられる。
【００２８】
図５（ａ）は、下水道本管３０に取り付けられている支管４１、継手４２及び取付管４３を撤去するために下水道本管３０を土中から掘り返した状態を示している。図５（ａ）に示す下水道本管３０には、外周面に開けられた孔３１（図５（ｂ）参照）に対し、支管４１、継手４２及び取付管４３が取り付けられている。取付管４３の上流側は公共ますに接続され、公共ますは、各家庭の汚水管及び汚水ますに接続されている（図示略）。
【００２９】
なお、下水道本管３０に支管４１を取り付けるには、まず、ホールソー等の工具を用いて、支管４１の開口部の大きさに対応する孔３１を下水道本管３０の外周面に形成する。続いて、支管４１の接合面（具体的にはサドルの裏面）に接着剤を塗布し、その接合面を、下水道本管３０に形成した孔３１の周りを覆う位置に圧着固定する。そして、内外面にはみ出した接着剤を除去して仕上げる。
【００３０】
図５（ｂ）は、図５（ａ）に示す下水道本管３０から、支管４１、継手４２及び取付管４３を撤去した状態を示している。閉塞キャップ１０を下水道本管３０に取り付けて孔３１を塞ぐには、図５（ｃ）に示すように、まず、サドル１１の裏面１８のうち突出部１６よりも外周側に配置された塗布領域Ａに、接着剤（例えば、エポキシ系接着剤等の樹脂系接着剤）を必要量塗布する。続いて、サドル１１が孔３１の周りに配置されるように、かつ環状突出部１２が孔３１にはめ込まれるように、下水道本管３０の外周面に閉塞キャップ１０を配置する。図６（ａ）には、塗布領域Ａに接着剤Ｂを塗布した閉塞キャップ１０を、下水道本管３０の外周面に配置した直後の状態を示している。この状態では、閉塞キャップ１０は、環状突出部１２が孔３１に向かって突出するように、かつ、突出部１６が孔３１の周り全体を囲むように下水道本管３０の外周面上に配置される。
【００３１】
その後、閉塞キャップ１０を下水道本管３０に圧着固定し、接着剤Ｂが硬化するまで静置する。塗布領域Ａに塗布された接着剤Ｂは、圧着固定の際の加圧により、下水道本管３０の外周面上において四方に広がる。このとき、接着剤Ｂの塗布量が多すぎると、比較的多量の接着剤Ｂが環状突出部１２側へ移動することが考えられる。その場合でも、環状突出部１２側へ移動した接着剤Ｂは、突出部１６の裏面１８側と下水道本管３０の外周面との間に形成された空間部１７に溜まり、環状突出部１２まで移動しないようにすることができる。また仮に、空間部１７に溜まった接着剤Ｂが許容量を超え、環状突出部１２まで接着剤Ｂが移動した場合でも、環状突出部１２まで移動する接着剤Ｂの量をできるだけ少なくすることができる。
【００３２】
また、環状部１３には、その外周を囲むように弾性リング１５が配置されており、環状部１３の外周面と孔３１の内周面との隙間が弾性リング１５によって埋められている。これにより、環状突出部１２まで移動した接着剤Ｂにつき、弾性リング１５により、環状突出部１２側へのそれ以上の浸入が抑制される。このため、接着剤Ｂが孔３１を介して下水道本管３０の内部に滴下することを効果的に抑制することができる。なお、サドル１１の外周側へ移動し、サドル１１の外縁端からはみ出した接着剤Ｂについては、接着剤Ｂが硬化する前に作業者によって取り除かれるとよい。弾性リング１５及び空間部１７が「抑制部」に相当する。
【００３３】
以上の操作により、閉塞キャップ１０によって孔３１が塞がれ、取付け作業が終了する（図５（ｄ）参照）。閉塞キャップ１０を下水道本管３０に取り付けた後は、下水道本管３０が土中に埋め戻される。下水道本管３０に閉塞キャップ１０が取り付けられた状態では、突出部１６は、サドル１１の一部が下水道本管３０の外周面から離れる側へ、滑らかな曲面形状となるように突出した状態となっている。これにより、下水道本管３０を地中に埋め戻した場合に、下水道本管３０を覆う土砂からの圧力が突出部１６に集中しにくくすることができる。
【００３４】
閉塞キャップ１０においては、突出部１６が環状突出部１２に近接した位置に設けられている。このため、閉塞キャップ１０の下水道本管３０との接合面（すなわち塗布領域Ａ）が広く確保されており、十分な量の接着剤を接合面に塗布できる。これにより、下水道本管３０との接着強度を十分に確保することができる。その反面、塗布領域Ａを広く確保した場合、例えば未熟な作業者が取り付け作業を行う場合に、塗布領域Ａへの接着剤の塗布量が多すぎるといったことが生じやすく、接着剤が環状突出部１２の突出端側へ浸入しやすくなる。その場合でも、塗布領域Ａよりも内周側（すなわち孔３１に近い側）には突出部１６が設けられているため、突出部１６が接着剤溜まりとして機能することにより、接着剤が孔３１まで移動することを抑制することができる。
【００３５】
また、環状突出部１２に近接した位置に突出部１６を設けた場合、孔３１の外周全体を囲むように突出部１６を配置しようとすると、作業者に熟練した技術が求められることが考えられる。この点、閉塞キャップ１０には環状突出部１２が設けられており、閉塞キャップ１０を下水道本管３０に取り付ける際には、環状突出部１２を孔３１にはめ合わせることにより、閉塞キャップ１０を位置決めすることができる。また、閉塞キャップ１０が位置決めされることにより、環状突出部１２に近接した位置に突出部１６を設けた場合にも、突出部１６が孔３１の外周周りに配置されるように突出部１６の位置決めを容易に行うことができる。このため、塗布領域Ａを広く確保しつつ、突出部１６を、作業者の技量に関わらず接着剤溜まりとして機能させるための適切な位置に配置することができる。
【００３６】
以上詳述した本実施形態によれば、次の優れた効果が得られる。
【００３７】
上述したように、閉塞キャップ１０に環状突出部１２と、抑制部としての突出部１６及び弾性リング１５を設けた。閉塞キャップ１０を下水道本管３０に取り付ける作業においては、作業者の技量等の影響を受けて作業ムラが発生することが想定されるが、閉塞キャップ１０によれば、閉塞キャップ１０を下水道本管３０に取り付ける際には、環状突出部１２により、閉塞キャップ１０の位置決めを容易にかつ正確に行うことができる。また、閉塞キャップ１０の位置決めにより適切な位置に配置された突出部１６及び弾性リング１５により、サドル１１に塗布した接着剤の孔３１側への移動を抑制することができる。これにより、接着剤が下水道本管３０の内部に滴下することを抑制することができる。
【００３８】
特に、閉塞キャップ１０の場合、下水道本管３０に取り付けて孔３１を塞いだ後は、下水道本管３０の内部に浸入した接着剤を取り除くために作業者が自らの手を挿入可能な開口部が下水道本管３０に通常存在せず、下水道本管３０の内部に浸入した接着剤についてはそのまま放置せざるを得ない。この点、上記構成によれば、閉塞キャップ１０を下水道本管３０に取り付ける作業において、接着剤が孔３１を介して下水道本管３０の内部に浸入すること自体を抑制することができる。つまり、下水道本管３０の内部に浸入した接着剤を孔３１を塞いだ後に取り除く必要が生じないようにすることができる。
【００３９】
抑制部として、環状部１３の外周面に弾性リング１５を取り付けた。孔３１は、過去に取付管４３を接続するために下水道本管３０に形成されたものであり、数十年前のものである場合や、下水道本管３０がヒューム管や陶管からなる場合も多く、孔３１の径にばらつきが生じていることが多い。上記構成によれば、このような場合でも、弾性リング１５によって環状突出部１２の外周面と孔３１の内周面との隙間を埋めることができ、接着剤の滴下を抑制する効果を一層高くすることができる。また、弾性リング１５によって、閉塞キャップ１０の位置決め効果も期待でき、閉塞キャップ１０を下水道本管３０に対して適切な位置に取り付けることができる。
【００４０】
抑制部として、サドル１１の裏面１８と下水道本管３０の外周面との間に空間部１７を有し、かつ環状突出部１２を囲む環状に形成された突出部１６を設けた。この構成によれば、空間部１７が接着剤溜まりとして機能することにより、接着剤が環状突出部１２まで移動しないようにしたり、環状突出部１２まで移動する接着剤の量を少なくしたりすることができる。また、突出部１６を、環状突出部１２を囲む環状に形成したため、あらゆる方向からの接着剤の滴下を抑制することができる。
【００４１】
サドル１１に突出部１６を設けたため、作業者は、突出部１６を目印にして接着剤を塗布する位置を視覚的に把握できる。これにより、適切な塗布位置への接着剤の塗布を作業者に自ずと促すことができる。特に本実施形態では、環状突出部１２に近接する位置に突出部１６を設け、突出部１６よりも外周側を接着剤の塗布領域Ａとしたため、接着剤の塗布領域Ａを広く確保でき、下水道本管３０に対し閉塞キャップ１０を十分な接着強度で取り付けることができる。また、接着状態にばらつきが生じないようにすることができる。
【００４２】
空間部１７については、サドル１１の一部を下水道本管３０の外周面から離れる側へ、滑らかな曲面形状となるように突出させて形成されているため、製作が容易である。また、突出部１６の表面１９側が滑らかな曲面形状になっていることから、閉塞キャップ１０によって孔３１を閉塞した後に下水道本管３０を埋め戻した場合に、下水道本管３０を覆う土砂からの圧力が突出部１６に集中しにくく、突出部１６の破損を抑制することができる。
【００４３】
環状部１３のサドル１１からの突出長さＬを下水道本管３０の厚みＴよりも短くした。このため、閉塞部１４の下水道本管３０内部への入り込みが少なく、下水道本管３０内の水の流れを阻害しないようにすることができる。その一方で、閉塞部１４の突出量が小さい分、孔３１の内周面と環状部１３の外周面との接触面積が小さく、接着剤が孔３１と環状部１３との間に入り込んでしまうと、接着剤が下水道本管３０の内部に滴下してしまう可能性が高くなる。この点、サドル１１に突出部１６を設けるとともに、環状部１３の外周に弾性リング１５を取り付ける構成としたため、環状突出部１２を備える閉塞キャップ１０において、閉塞部１４が下水の流れを阻害しないようにしつつ、下水道本管３０の内部への接着剤の浸入を抑制することができる。
【００４４】
（他の実施形態）
本発明は上記実施形態に限定されず、例えば次のように実施されてもよい。
【００４５】
・上記実施形態では、閉塞キャップ１０に下水道本管取付具を具体化した場合について説明したが、下水道本管３０に形成された孔３１に取付管４３を接続するために下水道本管３０に取り付けられる支管４１に本発明を適用してもよい。本発明の支管４１は、図７に示すように、サドル４５と、孔３１に向けて突出し孔３１にはめ込まれる環状突出部４６とを備えている。サドル４５は、閉塞キャップ１０が有するサドル１１と同じく、下水道本管３０の外周面に沿って湾曲した形状を有し、孔３１の周りに配置される。環状突出部４６は、サドル１１の内周側に配置されており、円環状に形成されている。支管４１には、環状突出部４６の先端部（自由端）によって囲まれた空間によって、支管４１の軸方向に貫通する開口が形成されている。サドル４５には、上述した閉塞キャップ１０と同じく、環状突出部４６よりも外周側に、下水道本管３０の外周面と向き合う側に空間部４８を有する突出部４７が設けられている。また、支管４１において、環状突出部４６の外周には弾性リング４９が取り付けられている。なお、突出部４７及び弾性リング４９については、閉塞キャップ１０のサドル１１に設けられた突出部１６、閉塞キャップ１０の環状部１３に取り付けられた弾性リング１５と基本的には同じ構成であるため、ここでは詳細な説明を省略する。
【００４６】
この実施形態の支管４１を下水道本管３０に取り付ける際に、サドル４５の裏面５１に塗布する接着剤の量が多すぎたりすると、接着剤が環状突出部４６側へ移動し、孔３１を介して下水道本管３０の内部に浸入することが考えられる。この場合でも、本実施形態の支管４１によれば、突出部４７及び弾性リング４９により、サドル４５の裏面５１に塗布した接着剤が孔３１側へ移動して下水道本管３０の内部に滴下することを抑制することができる。なお、ここでは９０度支管に適用する場合について説明したが、９０度支管に限らず、例えば６０度支管等に本発明を適用してもよい。
【００４７】
・上記実施形態では、円環状の突出部１６が環状突出部１２の周りに１個設けられている閉塞キャップ１０について説明したが、突出部１６の数は１個に限らず、複数個であってもよい。例えば、大きさが異なる複数個の円環状の突出部１６のそれぞれが環状突出部１２の周りを囲むように配置されていてもよい。また、環状突出部１２の周りを囲む突出部１６の形状についても円環状に限らず、例えば、環状突出部１２の周りを囲むようにサドル１１の一部に形成された渦巻き状であってもよい。
【００４８】
・上記実施形態では、接着剤が環状突出部１２の突出端側へ浸入するのを抑制する抑制部として、閉塞キャップ１０が突出部１６及び弾性リング１５を備えている場合について説明したが、閉塞キャップ１０が突出部１６及び弾性リング１５のうち一方のみを備える構成としてもよい。
【００４９】
・上記実施形態では、環状突出部１２を囲む環状となるように突出部１６を形成したが、突出部１６が、環状突出部１２を囲む一部の領域のみに形成されていてもよい。例えば、環状突出部１２を囲む円弧状の突出部１６を複数個配置してもよい。
【００５０】
・上記実施形態では、サドル１１の一部を下水道本管３０の外周面から離れる側へ突出させることにより空間部１７を形成したが、サドル１１の一部の厚みを薄くすることによって空間部１７を形成してもよい。
【００５１】
・突出部１６及び空間部１７の形状は、断面半円形状に限らず、例えば矩形状、三角形状等としてもよい。
【００５２】
・上記実施形態の閉塞キャップ１０では、サドル１１と環状突出部１２とが一体成形されている構成としたが、サドル１１と環状突出部１２とが別部材により構成されていてもよい。
【００５３】
・上記実施形態では、円形状に開口した孔３１を有する下水道本管３０に閉塞キャップ１０を取り付ける場合について説明したが、孔３１の形状は円形状に限らず、四角形状（例えば矩形状）等であってもよい。下水道本管３０に矩形状の孔３１が開いており、その矩形状の孔３１を閉塞キャップ１０で塞ぐ場合、環状突出部１２の環状部１３及び閉塞部１４を、孔３１に対応する矩形状に形成すればよい。
【符号の説明】
【００５４】
１０…閉塞キャップ（下水道本管取付具、閉塞具）、１１，４５…サドル、１２，４６…環状突出部、１５，４９…弾性リング、１６，４７…突出部、１７，４８…空間部、３０…下水道本管、３１…孔、４１…支管（下水道本管取付具）、４３…取付管、Ｂ…接着剤。
【図１】
2019044454.tif 000003
【図２】
2019044454.tif 000004
【図３】
2019044454.tif 000005
【図４】
2019044454.tif 000006
【図５】
2019044454.tif 000007
【図６】
2019044454.tif 000008
【図７】
2019044454.tif 000009